(57)【要約】【課題】内部に入ってブリッジを解消する作業又は籾殻収容庫の清掃作業をすることができるホッパタイプの籾殻収容庫を提供すること。【解決手段】籾殻５を収容する収容室を形成する側壁部１ａと、該側壁部１ａの下方に籾殻５を排出案内するホッパ部３と、該ホッパ部３の底部に設けた排出口３ａと、前記側壁部１ａの内側に沿って設けた足置き部２とを備えた籾殻収容庫１であり、籾殻５を収容する収容室を形成する側壁部１ａに沿って足置き部２を設けたことにより、作業員が収容室内に入って籾殻収容庫１の内部の清掃作業又は収容室内でできた籾殻５によるブリッジの解消などの作業を行うことができるようになった。【選択図】図１
2013237028.tif 000002
【特許請求の範囲】
【請求項１】
籾殻（５）を収容する収容室を形成する側壁部（１ａ）と、該側壁部（１ａ）の下方に籾殻（５）を排出案内するホッパ部（３）と、該ホッパ部（３）の底部に設けた排出口（３ａ）と、前記側壁部（１ａ）の内側に沿って設けた足置き部（２）を備えたことを特徴とする籾殻収容庫。
【請求項２】
足置き部（２）を略平坦にして、該足置き部（２）の一端を側壁部（１ａ）と連結し、足置き部（２）の他端を収容室内で互いに対向するように配置したことを特徴とする請求項１記載の籾殻収容庫。
【請求項３】
籾殻（５）を収容する収容室を平面視で箱形に形成し、足置き部（２）を全ての側壁部に沿って設けたことを請求項２記載の籾殻収容庫。
【請求項４】
足置き部（２）に籾殻（５）を送り出するためのエアーを噴出する配管（７）を設けたことを特徴とする請求項１ないし３のいずれかに記載の籾殻収容庫。
【発明の詳細な説明】
【技術分野】
【０００１】
本発明は籾殻を一時的に収容する籾殻収容庫に関する。
【背景技術】
【０００２】
従来のホッパ形式の籾殻収容庫は、該籾殻収容庫のホッパの底部に排出口を備えており、該排出口からトラックなどに籾殻を移して、トラックで籾殻が使用される場所に搬送していた。
【先行技術文献】
【特許文献】
【０００３】
【特許文献１】実開昭６３−３５４３８号公報
【発明の概要】
【発明が解決しようとする課題】
【０００４】
引用文献１の籾殻収容庫排出口から籾殻を取り出す時にホッパ部分で籾殻がブリッジを形成するなどして詰まった時に、足場がないので籾殻収容庫内部に人が入ってブリッジを解消する作業、又は籾殻収容庫の清掃作業をすることができなかった。  
本発明の課題は、内部に入ってブリッジを解消する作業又は清掃作業をすることができるホッパタイプの籾殻収容庫を提供することである。
【課題を解決するための手段】
【０００５】
本発明の上記課題は、次の解決手段で解決される。  
請求項１記載の発明は、籾殻（５）を収容する収容室を形成する側壁部（１ａ）と、該側壁部（１ａ）の下方に籾殻（５）を排出案内するホッパ部（３）と、該ホッパ部（３）の底部に設けた排出口（３ａ）と、前記側壁部（１ａ）の内側に沿って設けた足置き部（２）を備えたことを特徴とする籾殻収容庫である。
【０００６】
請求項２記載の発明は、足置き部（２）を略平坦にして、該足置き部（２）の一端を側壁部（１ａ）と連結し、足置き部（２）の他端を収容室内で互いに対向するように配置したことを特徴とする請求項１記載の籾殻収容庫である。
【０００７】
請求項３記載の発明は、籾殻（５）を収容する収容室を平面視で箱形に形成し、足置き部（２）を全ての側壁部（１ａ）に沿って設けたことを請求項２記載の籾殻収容庫である。
【０００８】
請求項４記載の発明は、足置き部（２）に籾殻（５）を送り出するためのエアーを噴出する配管（７）を設けたことを特徴とする請求項１ないし３のいずれかに記載の籾殻収容庫である。
【発明の効果】
【０００９】
請求項１記載の発明によれば、籾殻を収容する収容室を形成する側壁部１ａに沿って足置き部２を設けたことにより、作業員が収容室内に入って足置き部２に乗って籾殻収容庫１の内部の清掃作業又は収容室内でできた籾殻によるブリッジの解消などの作業を行うことができるようになった。
【００１０】
請求項２記載の発明によれば、請求項１記載の発明の効果に加えて、足置き部２が略平坦であるので、作業員は足置き部２に乗って収容庫１ａの内部の清掃又は収容室内にできた籾殻によるブリッジの解消作業などが容易に行える。
【００１１】
請求項３記載の発明によれば、請求項２記載の発明の効果に加えて、収容庫１ａ内部の側壁部１ａの内側の全周に亘って足置き部２があるので、収容室内のいずれの位置に籾殻が詰まっていても清掃が容易となる。
【００１２】
請求項４記載の発明によれば、請求項１ないし３のいずれかに記載の発明の効果に加えて、エアーで籾殻を崩して残留する籾殻を少なくすることができ、また足置き部２に作業員が降りる前に籾殻をエアーで吹き飛ばすことができるので足場を確保することができる。
【図面の簡単な説明】
【００１３】
【図１】本発明の実施例の籾殻収容庫内部の縦断面図である。
【図２】図１の図１のＡ−Ａ線矢視切断面を示す図である。
【図３】図１の籾殻収容庫内部の縦断面図である。
【図４】本発明の別実施例の図１のＡ−Ａ線矢視切断面を示す図である。
【図５】図４の籾殻収容庫内部の縦断面図である。
【図６】本発明の別実施例の図１のＡ−Ａ線矢視切断面を示す図である。
【図７】図６の籾殻収容庫内部の縦断面図である。
【図８】図７の籾殻収容庫内部のパイプ断面図（図８（ａ），図８（ｂ））である。
【図９】本発明の別実施例の図１のＡ−Ａ線矢視切断面を示す図である。
【発明を実施するための形態】
【００１４】
以下、図面に基づき、本発明の好ましい実施の形態について説明する。  
図１は本実施例の籾殻収容庫内部の縦断面図であり、図２は図１のＡ−Ａ線矢視切断面を示す図である。籾殻収容庫１は下のホッパ部３と上の側壁部１ａとからなり、側壁部１ａには内部に向かって突出する平坦な足置き部２の一端を取り付け、該足置き部２の他端、すなわち内側はホッパ部３と側壁部１ａで囲われる収容室内で互いに対向するように配置されている。ホッパ部３は傾斜面を有し、該傾斜面の下端部には籾殻５の排出口３ａが設けられている。なお、籾殻５は斑点模様で示している。
【００１５】
従って、側壁部１ａ側にある平坦な足置き部２が作業者の通路となるので、たとえ足置き部２の領域に籾殻５が堆積していても、作業者は確実に籾殻５を足置き部２から取り除き、外部に排出することができる。また、籾殻５を外部に排出するときには図３の籾殻収容庫１の内部の縦断面図に示すように、籾殻５は斑点模様で示すように排出口３ａに向けて流動するが、流動せずにホッパ部３に堆積するいわゆるブリッジとなった場合でも、作業者が足置き部２に上がり、ブリッジとなった籾殻５を棒等でほぐすことで安全に排出作業を行うことができる。
【００１６】
本実施の形態の足置き部２は平面視で箱形の側壁部１ａの内面全周に亘って設ける構成であるが、一部の側壁部１ａに設ける構成としてもよい。  
なお、本実施の形態の籾殻収容庫は建屋内部に設けることが多く、ホッパ部３を建屋の１階部分に設け、側壁部１ａを建屋の２階部分に設けることが多い。
【００１７】
図４には籾殻収容庫１の内部の図１のＡ−Ａ線矢視切断面を示し、図５には籾殻収容庫１の内部の縦断面図を示す。籾殻収容庫１の二階の側壁部１ａ側にある平坦な足置き部２の全ての領域に亘り、エアー搬送装置１０からのエアーを要所で噴出することができるパイプ７を張り巡らせた例である。
【００１８】
従って、二階の平坦な足置き部２に堆積した籾殻５の薄層を、前記パイプ７から噴出するエアーで吹き飛ばして作業スペースを確保することができる。また足置き部２に堆積した籾殻５が薄層になると、作業者は籾殻収容庫１から出て残りの籾殻５をエアーで噴出して外部に排出可能であるので、いつまでも籾殻収容庫１の内に留まって作業をする必要がない。
【００１９】
また、図６の籾殻収容庫１の内部の図１のＡ−Ａ線矢視切断面と図７の籾殻収容庫内部の縦断面図に示すように、平坦な足置き部２の全ての領域に配置されたパイプ７を、エアーを吸引することもできる構成とし、籾殻収容庫１の二階の高さに設けた中央パイプ８に前記吸引エアーを導き、籾殻収容庫１の中央部からエアーを側壁部１ａに向けて噴出すると、足置き部２上の籾殻５をホッパ部３に落とすことができる。なおパイプ８にはパイプ７からのエアーがエアー搬送装置１０を経由して供給される。
【００２０】
また、パイプ７又は中央パイプ８のエアー吸引口（又は吹出口）７ａ又は８ａは、図８（ａ），図８（ｂ）に示すパイプ７又は８の縦断面図のように、パイプ外周部をスライドする蓋９で開閉できる構成にしておくことで、エアー吸引量又は吹出量を調整できる。このエアー吸引口７ａ又は吹出口８ａは各ホッパ部に４箇所程度設けておくことで、エアー吸引量又は吹出量を微調整できる。  
またパイプ外周部でなくパイプ７又は８の先端部（図示せず）に開閉自在なエアー吸引口（又は吹出口）となる開口部を設けてもよい。
【００２１】
さらに、図９に示す籾殻収容庫１の内部の図１のＡ−Ａ線矢視切断面のように、籾殻収容庫１の二階の側壁部１ａ側にある平坦な足置き部２の全ての領域に亘り、エアーを要所で吸引することができるパイプ７を張り巡らし、図８（ａ），図８（ｂ）に示すパイプ７の縦断面図のように、パイプ外周部をスライドする蓋（図示せず）でこのエアー吸引口を開閉でき構成にしておき、エアー吸引量を調整可能することで、足置き部２に堆積する薄い層の籾殻５をエアー吸引力で外部に排出することができる。
【産業上の利用可能性】
【００２２】
本実施の形態は、籾殻庫であるが、その他にも籾の玄米等の穀粒収容庫としても利用可能である。
【符号の説明】
【００２３】
１  籾殻収容庫                        １ａ  側壁部
２  足置き部                          ３  ホッパ部
３ａ  排出口                          ５  籾殻
７  パイプ                            ７ａ  エアー吸引口
８  中央パイプ                        ８ａ  エアー吹出口
９  蓋                                １０  エアー搬送装置
【図１】
2013237028.tif 000003
【図２】
2013237028.tif 000004
【図３】
2013237028.tif 000005
【図４】
2013237028.tif 000006
【図５】
2013237028.tif 000007
【図６】
2013237028.tif 000008
【図７】
2013237028.tif 000009
【図８】
2013237028.tif 000010
【図９】
2013237028.tif 000011